(57)【特許請求の範囲】
【請求項１】
所定の宝くじにおける当選情報と当選情報が連動する広告くじを提供する広告くじ提供装置であって、
利用者に関する個人情報を受け付ける利用者情報受付手段と、
前記利用者情報受付手段により受け付けた前記個人情報を記憶する利用者情報記憶手段と、
前記個人情報で特定される前記利用者が使用する利用者端末を、前記広告くじのスポンサーである広告主が広告情報を提供するウェブサイトにアクセスさせるアクセス誘導手段と、
前記利用者端末において、前記広告情報の出力を行わせる広告情報ロード手段と、
前記利用者端末における前記広告情報の出力処理が終了した後、前記広告くじへの申し込みを受け付けると共に、前記利用者が選択した広告くじ識別情報と前記利用者端末を使用する前記利用者の個人情報とを前記利用者情報記憶手段において関連付けて記憶させるくじ申込受付手段と、
前記所定の宝くじの当選情報を取得する当選くじ情報取得手段と、
前記当選くじ情報取得手段により取得された前記当選情報と前記利用者情報記憶手段に記憶される前記広告くじ識別情報とを所定の規則に従い比較することによって、前記広告くじの当選者を抽出する当選者抽出手段と、
前記当選者の人数で前記広告くじの賞金総額を除することによって、前記広告くじの当選者一人当たりの当選金額を算出する分配金算出手段と、
前記当選者の前記個人情報と前記分配金算出手段により算出された前記当選者一人当たりの当選金額とを、前記利用者情報記憶手段において関連付けて記憶させる当選金分配手段と、を有することを特徴とする広告くじ提供装置。
【請求項２】
所定のＱＲコードを読み取ったＱＲコード情報を取得するＱＲコード取得手段を有し、
前記アクセス誘導手段が、前記ＱＲコード取得手段により取得した前記ＱＲコード情報により指定される前記ウェブサイトにアクセスさせることを特徴とする請求項１に記載の広告くじ提供装置。
【請求項３】
前記広告情報ロード手段により出力される前記広告情報が複数存在する場合、
前記利用者端末から、複数の前記広告情報のうち視聴を希望する該広告情報の選択を促すと共に、選択された該広告情報に関する広告選択情報を受け付ける広告選択受付手段を有し、
前記広告情報ロード手段が、前記広告選択受付手段により受け付けた前記広告選択情報で指定される前記広告情報を出力させることを特徴とする請求項１又は２に記載の広告くじ提供装置。
【請求項４】
前記当選くじ情報取得手段が、前記所定の宝くじの当選情報を掲載するウェブページについて所定の解析処理を行うことによって、該所定の宝くじの当選情報を取得することを特徴とする請求項１乃至３の何れか一に記載の広告くじ提供装置。
【請求項５】
前記当選くじ情報取得手段が、入力装置からの入力に基づき、前記所定の宝くじの当選情報を取得することを特徴とする請求項１乃至３の何れか一に記載の広告くじ提供装置。
【請求項６】
前記くじ申込受付手段により前記広告くじの申し込みを受け付けた前記利用者の人数を計数する応募者数カウント手段と、
前記応募者数カウント手段により計数した前記利用者の人数が所定の数となった場合、前記くじ申込受付手段による前記広告くじの申し込み受付処理を停止させる募集停止手段と、を有することを特徴とする請求項１乃至５の何れか一に記載の広告くじ提供装置。
【請求項７】
前記利用者情報記憶手段に記憶される情報に基づいて、一の前記利用者が既に前記広告くじの申し込みを行っていたことを検知する重複申込検知手段を有し、
前記くじ申込受付手段が、前記一の利用者による前記広告くじの申し込みを受け付けないことを特徴とする請求項１乃至６の何れか一に記載の広告くじ提供装置。
【請求項８】
前記当選金分配手段が、前記広告主から提供された商品であって、前記広告くじの景品を識別する景品識別情報を前記当選者に割り当てると共に、前記利用者情報記憶手段に記憶される該当選者の前記個人情報と割り当てられた前記景品識別情報とを関連付けて記憶させることを特徴とする請求項１乃至７の何れか一に記載の広告くじ提供装置。
【請求項９】
所定の宝くじにおける当選情報と当選情報が連動する広告くじを提供し、利用者情報受付手段が利用者に関する個人情報を受け付けるステップを備え、前記利用者情報受付手段により受け付けた前記個人情報を記憶する利用者情報記憶手段を有する広告くじ提供装置において行われる広告くじ提供方法であって、
アクセス誘導手段が、前記個人情報で特定される前記利用者が使用する利用者端末を、前記広告くじのスポンサーである広告主が広告情報を提供するウェブサイトにアクセスさせるステップと、
広告情報ロード手段が、前記利用者端末において、前記広告情報の出力を行わせるステップと、
くじ申込受付手段が、前記利用者端末における前記広告情報の出力処理が終了した後、前記広告くじへの申し込みを受け付けると共に、前記利用者が選択した広告くじ識別情報と前記利用者端末を使用する前記利用者の個人情報とを前記利用者情報記憶手段において関連付けて記憶させるステップと、
当選くじ情報取得手段が、前記所定の宝くじの当選番号に関する情報を取得するステップと、
当選者抽出手段が、前記当選くじ情報取得手段により取得された前記当選情報と前記利用者情報記憶手段に記憶される前記広告くじ識別情報とを所定の規則に従い比較することによって、前記広告くじの当選者を抽出するステップと、
分配金算出手段が、前記当選者の人数で前記広告くじの賞金総額を除することによって、前記広告くじの当選者一人当たりの当選金額を算出するステップと、
当選金分配手段が、前記当選者の前記個人情報と前記分配金算出手段により算出された前記当選者一人当たりの当選金額とを、前記利用者情報記憶手段において関連付けて記憶させるステップと、を含む広告くじ提供方法。
【請求項１０】
ＱＲコード取得手段が、所定のＱＲコードを読み取ったＱＲコード情報を取得するステップをさらに含み、
前記アクセス誘導手段が、前記ＱＲコード取得手段により取得した前記ＱＲコード情報により指定される前記ウェブサイトにアクセスさせることを特徴とする請求項９に記載の広告くじ提供方法。
【請求項１１】
前記広告情報ロード手段により出力される前記広告情報が複数存在する場合、
広告選択受付手段が、前記利用者端末から、複数の前記広告情報のうち視聴を希望する該広告情報の選択を促すと共に、選択された該広告情報に関する広告選択情報を受け付けるステップをさらに含み、
前記広告情報ロード手段が、前記広告選択受付手段により受け付けた前記広告選択情報で指定される前記広告情報を出力させることを特徴とする請求項９又は１０に記載の広告くじ提供方法。
【請求項１２】
前記当選くじ情報取得手段が、前記所定の宝くじの当選情報を掲載するウェブページについて所定の解析処理を行うことによって、該所定の宝くじの当選情報を取得することを特徴とする請求項９乃至１１の何れか一に記載の広告くじ提供方法。
【請求項１３】
前記当選くじ情報取得手段が、入力装置からの入力に基づき、前記所定の宝くじの当選情報を取得することを特徴とする請求項９乃至１２の何れか一に記載の広告くじ提供方法。
【請求項１４】
応募者数カウント手段が、前記くじ申込受付手段により前記広告くじの申し込みを受け付けた前記利用者の人数を計数するステップと、
募集停止手段が、前記応募者数カウント手段により計数した前記利用者の人数が所定の数となった場合、前記くじ申込受付手段による前記広告くじの申し込み受付処理を停止させるステップと、をさらに含むことを特徴とする請求項９乃至１３の何れか一に記載の広告くじ提供方法。
【請求項１５】
重複申込検知手段が、前記利用者情報記憶手段に記憶される情報に基づいて、一の前記利用者が既に前記広告くじの申し込みを行っていたことを検知するステップをさらに含み、
前記くじ申込受付手段が、前記一の利用者による前記広告くじの申し込みを受け付けないことを特徴とする請求項９乃至１４の何れか一に記載の広告くじ提供方法。
【請求項１６】
前記当選金分配手段が、前記広告主から提供された商品であって、前記広告くじの景品を識別する景品識別情報を前記当選者に割り当てると共に、前記利用者情報記憶手段に記憶される該当選者の前記個人情報と割り当てられた前記景品識別情報とを関連付けて記憶させることを特徴とする請求項９乃至１５の何れか一に記載の広告くじ提供方法。
【請求項１７】
コンピュータに、請求項９乃至１６の何れか一に記載の広告くじ提供方法を実行させるための広告くじ提供プログラム。
【発明の詳細な説明】
【技術分野】
【０００１】
信頼性の高い公的宝くじの当選番号と当選結果が連動すると共に、企業の宣伝広告の手段としても活用できるくじの仕組みを提供するコンピュータシステムの技術に関する。
【背景技術】
【０００２】
企業は、自社の商品・サービスを多くの見込み客に広めるべく、日常的に宣伝・広告に多くの予算を割いているのが現状である。そういった状況下、できるだけ少ない予算によって、できるだけ多くの見込み客に、自社の商品・サービスを認知させることが企業側の希望であり、つまり、企業は、広告宣伝費の効率的かつ効果的な運用を望んでいる。
【０００３】
一方、世の中には、種々の懸賞付きくじが存在し、商品の購入やサービス提供を受けたことなどを契機に、当該懸賞付きくじへの応募権が付与されることが多々ある。そして、このような懸賞付きくじの当選告知について、「当選者の発表は、景品の発送を以って代えさせて頂きます」とされていることも少なくない。このような対応をされた場合、懸賞付きくじの応募者としては、「本当に景品は当選者へ発送されているのだろうか」、「当選なのか落選なのかを自分で確かめたい」という思いを抱くこともある。
【０００４】
他方、ＷＷＷ（World Wide Web）やインターネットの技術を利用した、広告効果を伴うくじに関し、盛んに提案が行われている。例えば、特許文献１では、インターネットを利用して宝くじサイトを開設する技術についての提案がなされ、特許文献２では、ＱＲコード（登録商標。以下、当該注記を省略する。）を読み取って、広告Ｗｅｂページへ誘導する技術についての提案がなされている。また、特許文献３乃至６においても、ＷＷＷやインターネットの技術を利用した、広告効果を伴うくじに関する提案がなされている。
【先行技術文献】
【特許文献】
【０００５】
【特許文献１】特開２００２−９９６６５号公報
【特許文献２】特開２０１２−６４１６７号公報
【特許文献３】特開２０１２−１８０８０２号公報
【特許文献４】特開２００２−１４０４８９号公報
【特許文献５】特開２００２−１３３２４０号公報
【特許文献６】特開２００２−２３０２２２号公報
【発明の概要】
【発明が解決しようとする課題】
【０００６】
しかしながら、上記技術においては、企業が効率的かつ効果的な広告宣伝を行うことができる仕組みと懸賞付きくじの当選情報の透明性を高める仕組みとが両立されたものが存在しないという問題点があった。
【０００７】
従って、本発明では、上記問題点に鑑み、企業が効率的かつ効果的な広告宣伝を行うことができると共に、懸賞付きくじの当選情報の透明性を高めることができる広告くじ提供装置、広告くじ提供方法及び広告くじ提供プログラムを提供することを目的とする。
【課題を解決するための手段】
【０００８】
開示する広告くじ提供装置の一形態は、所定の宝くじにおける当選情報と当選情報が連動する広告くじを提供する広告くじ提供装置であって、利用者に関する個人情報を受け付ける利用者情報受付手段と、前記利用者情報受付手段により受け付けた前記個人情報を記憶する利用者情報記憶手段と、前記個人情報で特定される前記利用者が使用する利用者端末を、前記広告くじのスポンサーである広告主が広告情報を提供するウェブサイトにアクセスさせるアクセス誘導手段と、前記利用者端末において、前記広告情報の出力を行わせる広告情報ロード手段と、前記利用者端末における前記広告情報の出力処理が終了した後、前記広告くじへの申し込みを受け付けると共に、前記利用者が選択した広告くじ識別情報と前記利用者端末を使用する前記利用者の個人情報とを前記利用者情報記憶手段において関連付けて記憶させるくじ申込受付手段と、前記所定の宝くじの当選情報を取得する当選くじ情報取得手段と、前記当選くじ情報取得手段により取得された前記当選情報と前記利用者情報記憶手段に記憶される前記広告くじ識別情報とを所定の規則に従い比較することによって、前記広告くじの当選者を抽出する当選者抽出手段と、前記当選者の人数で前記広告くじの賞金総額を除することによって、前記広告くじの当選者一人当たりの当選金額を算出する分配金算出手段と、前記当選者の前記個人情報と前記分配金算出手段により算出された前記当選者一人当たりの当選金額とを、前記利用者情報記憶手段において関連付けて記憶させる当選金分配手段と、を有することを特徴とする。
【０００９】
また、開示する広告くじ提供装置の一形態は、上記構成に加え、所定のＱＲコードを読み取ったＱＲコード情報を取得するＱＲコード取得手段を有し、前記アクセス誘導手段が、前記ＱＲコード取得手段により取得した前記ＱＲコード情報により指定される前記ウェブサイトにアクセスさせることを特徴とする。
【００１０】
また、開示する広告くじ提供装置の一形態は、上記構成に加え、前記広告情報ロード手段により出力される前記広告情報が複数存在する場合、前記利用者端末から、複数の前記広告情報のうち視聴を希望する該広告情報の選択を促すと共に、選択された該広告情報に関する広告選択情報を受け付ける広告選択受付手段を有し、前記広告情報ロード手段が、前記広告選択受付手段により受け付けた前記広告選択情報で指定される前記広告情報を出力させることを特徴とする。
【００１１】
また、開示する広告くじ提供装置の一形態は、上記構成に加え、前記当選くじ情報取得手段が、前記所定の宝くじの当選情報を掲載するウェブページについて所定の解析処理を行うことによって、該所定の宝くじの当選情報を取得することを特徴とする。
【００１２】
また、開示する広告くじ提供装置の一形態は、上記構成に加え、前記当選くじ情報取得手段が、入力装置からの入力に基づき、前記所定の宝くじの当選情報を取得することを特徴とする。
【００１３】
また、開示する広告くじ提供装置の一形態は、上記構成に加え、前記くじ申込受付手段により前記広告くじの申し込みを受け付けた前記利用者の人数を計数する応募者数カウント手段と、前記応募者数カウント手段により計数した前記利用者の人数が所定の数となった場合、前記くじ申込受付手段による前記広告くじの申し込み受付処理を停止させる募集停止手段と、を有することを特徴とする。
【００１４】
また、開示する広告くじ提供装置の一形態は、上記構成に加え、前記利用者情報記憶手段に記憶される情報に基づいて、一の前記利用者が既に前記広告くじの申し込みを行っていたことを検知する重複申込検知手段を有し、前記くじ申込受付手段が、前記一の利用者による前記広告くじの申し込みを受け付けないことを特徴とする。
【００１５】
また、開示する広告くじ提供装置の一形態は、上記構成に加え、前記当選金分配手段が、前記広告主から提供された商品であって、前記広告くじの景品を識別する景品識別情報を前記当選者に割り当てると共に、前記利用者情報記憶手段に記憶される該当選者の前記個人情報と割り当てられた前記景品識別情報とを関連付けて記憶させることを特徴とする。
【発明の効果】
【００１６】
開示する広告くじ提供装置は、企業が効率的かつ効果的な広告宣伝を行うことができると共に、懸賞付きくじの当選情報の透明性を高めることができる。
【図面の簡単な説明】
【００１７】
【図１】本実施の形態に係る広告くじ提供装置と周辺装置との関わりを説明するための図である。
【図２】本実施の形態に係るＱＲコードを付す場所の例を示す図である。
【図３】本実施の形態に係る広告くじ提供装置の機能ブロック図である。
【図４】本実施の形態に係る個人情報記憶手段が記憶する情報の例を示す図である。
【図５】本実施の形態に係る広告情報の提供方式の例を示す図である。
【図６】本実施の形態に係る広告情報の例を示す図である。
【図７】本実施の形態に係る広告くじ識別情報の例を示す図である。
【図８】本実施の形態に係る所定の宝くじの当選番号を掲載するウェブページの例を示す図である。
【図９】本実施の形態に係る分配金算出手段及び当選金分配手段が行う情報処理を説明するための図である。
【図１０】本実施の形態に係る当選金分配手段が行う情報処理を説明するための図である。
【図１１】本実施の形態に係る広告くじ提供装置のハードウエア構成例を示す図である。
【図１２】本実施の形態に係る広告くじ提供装置が行う申込受付処理のフローチャートの一例を示す図である。
【図１３】本実施の形態に係る広告くじ提供装置が行う申込受付処理のフローチャートの別例を示す図である。
【図１４】本実施の形態に係る広告くじ提供装置が行う賞金分配処理のフローチャートの一例を示す図である。
【発明を実施するための形態】
【００１８】
図面を参照しながら、本発明を実施するための形態について説明する。
（本実施の形態に係る広告くじ提供装置の概要）
【００１９】
図１及び図２を用いて、本実施の形態に係る広告くじ提供装置１００の概要について説明する。なお、図１は、広告くじ提供装置１００と周辺装置との関係を俯瞰するための図であり、図２は、広告くじ提供装置１００が提供するサービスにおいて使用されるＱＲコードを付す場所の例を示す図である。
【００２０】
図１で示すように、広告くじ提供装置１００は、利用者３００が使用する利用者端末３１０に対してサービスを提供し、広告くじ提供装置１００と利用者端末３１０とは、インターネットなどの通信ネットワークを介して接続される。
【００２１】
ここで、広告くじ提供装置１００が提供するサービスとは、広告主３４０が提供する企業や商品・サービスに関する宣伝広告である広告情報３５０の視聴を条件に、懸賞付きくじ（以後、「広告くじ」という。）の申込を募ると共に、くじの当選状況に応じて、利用者３００へ賞金・景品を分配するサービスである。
【００２２】
また、広告くじの当選は、ロト６（登録商標）やミニロト（登録商標）など所謂宝くじの当選情報３３０に連動する。例えば、広告くじ提供装置１００は、通信ネットワークを介して、宝くじの当選番号情報３３０を提供するウェブページを記憶するサーバ装置４００に接続し、当選番号情報３３０を取得する。そのため、広告くじ提供装置１００が提供するサービスでは、広告くじ主催者による不正を防止することができ、広告くじ申込者が抱くくじの当否に関する不安を解消させることができる。
【００２３】
さらに、広告くじへの申込には、広告情報３５０の視聴が条件となっているため、テレビコマーシャルや新聞広告など漫然と情報を提供する他の広告媒体に比べ、利用者３００へ広告情報３５０を効率良く提供することができる。
【００２４】
一方で、広告くじ提供装置１００は、所定のＱＲコード情報を受け付けることによって、利用者端末３１０を、広告情報３５０を提供するウェブサイト（ウェブページ）３６０へアクセスさせることもできる。図２で示すように、当該ＱＲコードは、店舗などで配布されるクーポン券に付されていても良く、書店で販売される雑誌や駅などに設置されるフリーペーパーに付されていても良い。また、当該ＱＲコードは、駅などに設置されている柱に掲示するポスターに付されていても良く、商品本体や商品包装に付されていても良い。このように、広告くじ提供装置１００では、サービスを提供する利用者３００の属性を特定することができるため、テレビコマーシャルや新聞広告など漫然と情報を提供する他の広告媒体に比べ、利用者３００へ広告情報３５０を効率良く提供することができる。
（本実施の形態に係る広告くじ提供装置の動作原理）
【００２５】
図３などを用いて、広告くじ提供装置１００の動作原理について説明する。図３は、広告くじ提供装置１００の機能ブロック図である。図３で示すように、広告くじ提供装置１００は、利用者情報受付手段１１０、利用者情報記憶手段１２０、ＱＲコード取得手段１３０、アクセス誘導手段１４０、広告選択受付手段１５０、広告情報ロード手段１６０、広告情報記憶手段１７０、くじ申込受付手段１８０、募集停止手段１９０、応募者数カウント手段２００、重複申込検知手段２１０、当選くじ情報取得手段２２０、当選者抽出手段２３０、分配金算出手段２４０、当選金分配手段２５０を有する。そして、広告くじ提供装置１００は、通信ネットワークを介して、利用者３００が使用する利用者端末３１０、宝くじの当選情報３３０を提供するサーバ装置４００と接続する。
【００２６】
利用者情報受付手段１１０は、広告くじの利用者３００に関する情報であって、広告くじの申し込みや当否連絡のための情報である個人情報３２０を受け付ける。図４で個人情報３２０の一例を示す。例えば、個人情報３２０とは、利用者３００の氏名・住所・電子メールアドレス・電話番号などの情報である。
【００２７】
利用者情報記憶手段１２０は、個人情報３２０を含む情報を記憶する補助記憶装置であって、例えば、ハードディスクやフラッシュメモリなどである。図４で利用者情報記憶手段１２０に記憶される情報の一例を示している。図４で示すように、利用者情報記憶手段１２０には、個人情報３２０の他、利用者３００が申し込んだ広告くじを識別するための広告くじ識別情報３７０、利用者３００による広告くじの申込状況を判別するための広告くじ申込フラグ、広告くじの当選者に分配された当選金額に関する情報３８０、広告くじの当選者に分配された景品に関する情報３９０などが記憶される。
【００２８】
ＱＲコード取得手段１３０は、利用者端末３１０から、利用者端末３１０が読み取ったＱＲコードであって、広告主３４０が提供する企業や商品・サービスに関する宣伝広告である広告情報３５０を提供するウェブページ（ウェブサイト）３６０のＵＲＬ（Uniform Resource Locator）を指定するＱＲコード情報を受け付ける。なお、利用者端末３１０は、図２で示すような種々の媒体に付されているＱＲコードを読み取り、ＱＲコード取得手段１３０を通じて、当該ＱＲコード情報を広告くじ提供装置１００へ提供する。
【００２９】
アクセス誘導手段１４０は、利用者端末３１０を、広告情報３５０が提供されるウェブサイト３６０へアクセスさせる。ここで、アクセス誘導手段１４０は、利用者端末３１０からのウェブサイト３６０へのアクセス要求に応じて、利用者端末３１０をウェブサイト３６０にアクセスさせる形態であっても良い。また、アクセス誘導手段１４０は、ＱＲコード取得手段１３０により取得されたＱＲコード情報が指定するウェブサイト３６０へ、利用者端末３１０をアクセスさせる形態であっても良い。なお、ＱＲコード取得手段１３０、アクセス誘導手段１４０においては、ＱＲコードに代えて、ＱＲコード以外の１次元コード、２次元コード、その他種々のコードを使用する形態としても良い。
【００３０】
広告選択受付手段１５０は、ウェブサイト３６０において複数の広告情報３５０が提供される場合、利用者３００へ視聴を希望する広告情報３５０の選択を促すと共に、選択された広告情報３５０を指定する情報を受け付ける。図５の上図で、ウェブサイト３６０において複数の広告情報３５０が提供される様子を示す。例えば、利用者３００は、利用者端末３１０上でポインタを視聴希望の広告情報３５０に合わせクリックしたり、タッチパネル上で視聴希望の広告情報３５０にタッチしたりすることによって、選択する広告情報３５０を指定する情報を利用者端末３１０から広告選択受付手段１５０（広告くじ提供装置１００）へ通知する。
【００３１】
広告情報ロード手段１６０は、利用者端末３１０に対し、アクセス誘導手段１４０によってアクセスさせたウェブサイト３６０において提供される広告情報３５０を転送すると共に、利用者端末３１０において広告情報３５０を出力させる。図６で示すように、広告情報ロード手段１６０は、利用者端末３１０において自動的に、画像及び／又は音声によって、広告主３４０が用意した広告情報３５０を出力させる。なお、広告情報３５０は、広告情報記憶手段１７０に記憶される。
【００３２】
また、広告情報ロード手段１６０は、利用者端末３１０に対し、広告選択受付手段１５０によって視聴が選択された広告情報３５０を転送すると共に、利用者端末３１０上で広告情報３５０を出力させる。図５で示すように、広告情報ロード手段１６０は、利用者端末３１０において自動的に、画像及び／又は音声によって、広告選択受付手段１５０によって視聴が選択された広告情報３５０を出力させる。なお、広告情報３５０は、広告情報記憶手段１７０に記憶される。
【００３３】
くじ申込受付手段１８０は、広告情報ロード手段１６０による広告情報３５０の出力処理が終了した後、利用者３００の広告くじへの申し込みを受け付ける。また、くじ申込受付手段１８０は、広告くじへの申し込みとして、利用者３００の広告くじへの申し込み情報を識別するための広告くじ識別情報３７０を受け付け、利用者情報記憶手段１２０において、利用者３００に係る個人情報３２０と広告くじ識別情報３７０とを関連づけて記憶させる。
【００３４】
ここで、広告くじ識別情報３７０とは、利用者３００が能動的に選択するもの（例えば、数字選択式宝くじ）であっても良く、自動的に採択（採番）されるもの（例えば、申込時に一意の番号が自動的に採番される開封くじ形式）であっても良い。図７では、利用者３００が能動的に選択する広告くじ識別情報３７０の例を示す。例えば、広告くじ識別情報３７０は、図７（ａ）で示す「ロト６（登録商標）」のように１〜４３の数字を６個選択する形態であっても良く、図７（ｂ）で示す「ミニロト（登録商標）」のように１〜３１の数字を５個選択する形態であっても良い。
【００３５】
図４で示すように、例えば、くじ申込受付手段１８０は、利用者３００「新納英明」が、広告くじ識別情報３７０として「６、１５、１６、２３、３０、３５」を以って、広告くじの申し込みを行った場合、第３段目で示すような情報３７０を個人情報記憶手段１２０へ記憶させる。また、図４の第４段目で示すように、くじ申込受付手段１８０は、広告くじ申込フラグを「済み」とする情報を個人情報記憶手段１２０へ記憶させる形態であっても良い。
【００３６】
応募者数カウント手段２００は、個人情報記憶手段１２０に記憶される広告くじ識別情報３７０や広告くじ申込フラグなどの情報に基づいて、広告くじへの申込者数を計数する。
【００３７】
募集停止手段１９０は、応募者数カウント手段２００により計数された広告くじへの申込者数が所定数となった場合、くじ申込受付手段１８０による広告くじへの申し込みを停止させる。このようにすることで、一人当たりの当選金額が小さくなり過ぎることを防止したり、広告主３４０から提供された景品の分配に支障が出ないようにしたりすることができる。また、このように応募者数に上限を設けることによって、広告主３４０が拠出する金額と応募者数とを関連付けるサービス形態も採用することができる。
【００３８】
重複申込検知手段２１０は、個人情報記憶手段１２０に記憶される広告くじ識別情報３７０や広告くじ申込フラグなどの情報に基づいて、利用者３００が広告くじへ申し込み済みか否かを判定すると共に、特定の利用者３００が申込済みであることを検知する。重複申込検知手段２１０によって申込済みであることが検知された利用者３００による広告くじへの申し込みが行われた場合、くじ申込受付手段１８０が、当該申し込みを受け付けない形態としても良い。このようにすることで、一人当たりの当選金額が小さくなり過ぎることを防止したり、広告主３４０から提供された景品の分配に支障が出ないようにしたりすることができる。また、このように重複申込を防止し、重複申込を目的とした特定の者の多数回の広告視聴を防止することによって、より多くの者に広告を視聴させることができるため、広告効果を高めることができる。
【００３９】
当選くじ情報取得手段２２０は、広告くじ提供装置１００がサービス提供する広告くじの当選情報を連動させる所定の宝くじについての当選情報３３０を取得する。当選情報３３０は、数字、記号、文字及びこれらの組み合わせなど、情報の形態に限定は無い。
【００４０】
当選くじ情報取得手段２２０は、装置１００が備える入力装置１０６０からの入力によって当選情報３３０を取得する形態であっても良く、所定の記述規則に従って当選情報３３０が記載された電子ファイルを取得する形態であっても良い。
【００４１】
当選くじ情報取得手段２２０は、当選情報３３０を掲載しているウェブサイト（ウェブページ）４００に対し所定の解析処理を加えることによって、当選情報３３０を取得する形態であっても良い。例えば、図８で示すような、当選情報３３０を掲載しているウェブサイト（ウェブページ）４００が存在する場合、当選くじ情報取得手段２２０は、「本数字」に続く６個の２ケタの数字「０６」、「１５」、「１６」、「２３」、「３０」、「３５」を、当選情報３３０として取得する。ここで、所定の解析処理とは、図８では「本数字」のように、当選情報３３０の直前（または直後）に現れる数字、記号、文字などをキーにして、そのキー情報の周辺に存在する当選情報３３０を抽出する処理である。つまり、当選くじ情報取得手段２２０は、ウェブサイト（ウェブページ）４００内における既知の配置規則に従って、当選情報３３０を探索し抽出する。
【００４２】
当選者抽出手段２３０は、当選くじ情報取得手段２２０が取得した当選情報３３０を、利用者情報記憶手段１２０に記憶される広告くじ識別情報３７０と照合し、広告くじの当選者３００を抽出する。当選者抽出手段２３０は、照合対象の全部が一致する場合を当選と判定しても良く、照合対象の一部が一致する場合を当選と判定しても良い。このように、広告くじ提供装置１００では、広告くじの当否を公的サービスである宝くじの当選情報３３０に連動させるため、懸賞付きくじである広告くじに係る当選情報の透明性を高める仕組みを提供することができる。
【００４３】
分配金算出手段２４０は、当選者抽出手段２３０が抽出した当選者３００の人数で、広告主３４０が拠出した賞金総額を除し、当選者３００一人当たりの賞金額３８０を算出する。広告主３４０は、一社でも複数社であっても良く、賞金総額は、各広告主３４０から所定額を募る形態であっても良く、総拠出額の一定割合が充てられる形態であっても良い。
【００４４】
当選金分配手段２５０は、分配金算出手段２４０によって算出された当選者３００一人当たりの賞金額３８０を、利用者情報記憶手段１２０に記憶される、当選者３００の個人情報３２０と関連付けて記憶させる。例えば、図４で示すように、分配金算出手段２４０によって当選者３００一人当たりの賞金額３８０が「１５０，０００円」と算出された場合、利用者情報記憶手段１２０において、個人情報３２０「新納英明」と「１５０，０００円」とが関連付けて記憶される。この場合、図９で示すように、所定額の金銭が、広告くじの懸賞として当選者３００間で分配される。
【００４５】
当選金分配手段２５０は、広告主３４０から提供された景品を識別するための景品識別情報３９０を、利用者情報記憶手段１２０に記憶される、当選者３００の個人情報３２０と関連付けて記憶させる形態としても良い。例えば、図４で示すように、景品が「Ａ商店の商品Ｂ」である場合、利用者情報記憶手段１２０において、個人情報「新納英明」３２０と当選景品情報「Ａ商店の商品Ｂ」３９０とが関連付けて記憶される。なお、当選者３００が複数存在する場合、広告主３４０から提供された景品は、各当選者３００へ適切に割り当てられる。
【００４６】
ここで、景品とは、広告主３４０が製造・販売・提供する商品やサービスのことであり、当該商品・サービスは、広告主３４０の総拠出額の一部を使って広告主３４０から購入する形態であっても良い。この場合、図１０で示すように、商品・サービスが、広告くじの懸賞として当選者３００間で分配される。こうすることで、広告主３４０の資金負担を軽減させることができる。
（本実施の形態に係る広告くじ提供装置のハードウエア構成）
【００４７】
図１１を用いて、広告くじ提供装置１００のハードウエア構成例について説明する。図１１は、広告くじ提供装置１００のハードウエア構成の一例を示す図である。図１１で示すように、広告くじ提供装置１００は、ＣＰＵ（Central Processing Unit）１０１０、ＲＯＭ（Read-Only
Memory）１０２０、ＲＡＭ（Random Access Memory）１０３０、補助記憶装置１０４０、通信Ｉ／Ｆ１０５０、入力装置１０６０、表示装置１０７０、記録媒体Ｉ／Ｆ１０８０を有する。
【００４８】
ＣＰＵ１０１０は、ＲＯＭ１０２０に記憶されたプログラムを実行する装置であり、ＲＡＭ１０３０に展開（ロード）されたデータを、プログラムの命令に従って演算処理し、広告くじ提供装置１００全体を制御する。ＲＯＭ１０２０は、ＣＰＵ１０１０が実行するプログラムやデータを記憶している。ＲＡＭ１０３０は、ＣＰＵ１０１０でＲＯＭ１０２０に記憶されたプログラムを実行する際に、実行するプログラムやデータが展開（ロード）され、演算の間、演算データを一時的に保持する。
【００４９】
補助記憶装置１０４０は、基本ソフトウエアであるＯＳ（Operating System）や本実施の形態に係るアプリケーションプログラムなどを、関連するデータとともに記憶する装置である。補助記憶装置１０４０は、利用者情報記憶手段１２０を含み、例えば、ＨＤＤ（Hard Disc Drive）やフラッシュメモリなどである。
【００５０】
通信Ｉ／Ｆ１０５０は、有線・無線ＬＡＮ（Local Area Network）、インターネットなどの通信ネットワークに接続し、通信機能を提供する他装置とデータの授受を行うためのインタフェースである。
【００５１】
入力装置１０６０は、キーボードなど広告くじ提供装置１００にデータ入力を行うための装置である。表示装置（出力装置）１０７０は、ＬＣＤ（Liquid Crystal Display）等で構成される装置であり、広告くじ提供装置１００が有する機能をユーザが利用する際や各種設定を行う際のユーザインタフェースとして機能する装置である。記録媒体Ｉ／Ｆ１０８０は、ＣＤ−ＲＯＭ、ＤＶＤ−ＲＯＭ、ＵＳＢメモリなどの記録媒体１０９０とデータの送受信を行うためのインタフェースである。
【００５２】
広告くじ提供装置１００が有する各手段は、ＣＰＵ１０１０が、ＲＯＭ１０２０又は補助記憶装置１０４０に記憶された各手段に対応するプログラムを実行することにより実現される形態としても良い。また、広告くじ提供装置１００が有する各手段は、当該各手段に関する処理をハードウエアとして実現される形態としても良い。また、通信Ｉ／Ｆ１０５０を介して外部サーバ装置から本発明に係るプログラムを読み込ませたり、記録媒体Ｉ／Ｆ１０８０を介して記録媒体１０９０から本発明に係るプログラムを読み込ませたりして、広告くじ提供装置１００に当該プログラムを実行させる形態としても良い。
（本実施の形態に係る広告くじ提供装置による処理例）
【００５３】
図１２乃至１４を用いて、広告くじ提供装置１００による処理例について説明する。図１２は、広告くじ提供装置１００が行う、利用者登録からＱＲコードを利用した広告くじの申込を受け付けるまでの処理の一例の流れを示すフローチャートである。図１３は、広告くじ提供装置１００が行う、利用者登録から広告くじの申込を受け付けるまでの処理の別例の流れを示すフローチャートである。図１４は、広告くじ提供装置１００が行う、広告くじにおける当選者を決定する処理の一例の流れを示すフローチャートである。
（１）利用者登録処理及びＱＲコードを利用した広告くじの申込受付処理
ここでは、図１２を用いて、広告くじ提供装置１００による利用者登録処理及びＱＲコードを利用した広告くじの申込受付処理の流れを説明する。
【００５４】
Ｓ１０で利用者情報受付手段１１０が、スマートフォンなど携帯情報端末３１０から、広告くじの利用者３００に関する情報であって、広告くじの申し込みや当否連絡のための情報である個人情報３２０を受け付ける。さらに、利用者情報受付手段１１０は、個人情報３２０を利用者情報記憶手段１２０に記憶させる。図４で示すように、個人情報３２０とは、例えば、利用者３００の氏名「新納英明」、住所「佐賀県武雄市武雄町…」、電子メールアドレス「ｘｙｚ＠ｙａｈｏｏ．ｃｏ．ｊｐ」、電話番号「０９５４−２ｘ−ｘｘｘｘ」などの情報である。なお、Ｓ１０における処理は、Ｓ３０における処理の後に実行される形態としても良い。
【００５５】
Ｓ２０でＱＲコード取得手段１３０が、携帯情報端末３１０で読み取った、広告情報３５０を提供するウェブページ３６０のＵＲＬを指定するＱＲコード情報を受け付ける。なお、当該ＱＲコード情報は、図２で示すような種々の媒体に付されているＱＲコードを携帯情報端末３１０で読み取ったものである。
【００５６】
Ｓ３０でアクセス誘導手段１４０が、携帯情報端末３１０を、ＱＲコード取得手段１３０がＳ２０において取得したＱＲコード情報が指定するウェブページ３６０へアクセスさせる。例えば、アクセス誘導手段１４０は、図５の上図や図６で示すようなウェブページ３６０へアクセスを誘導する。
【００５７】
Ｓ４０で広告情報ロード手段１６０が、携帯情報端末３１０に対し、アクセス誘導手段１４０がＳ３０においてアクセスさせたウェブページ３６０において提供される広告情報３５０を転送すると共に、利用者端末３１０上で広告情報３５０を出力させる。図６で示すように、広告情報ロード手段１６０は、利用者端末３１０において自動的に、画像及び／又は音声によって、広告主３４０が用意した広告情報３５０を出力させる。
【００５８】
また、ウェブページ３６０において複数の広告情報３５０が提供される場合、Ｓ４０で広告選択受付手段１５０が、視聴希望の広告情報３５０の選択を促すと共に、選択された広告情報３５０を特定する情報を受け付ける。そして、広告情報ロード手段１６０が、携帯情報端末３１０に対し、広告選択受付手段１５０が受け付けた情報で特定される広告情報３５０を転送すると共に、携帯情報端末３１０上で広告情報３５０を出力させる。例えば、広告情報ロード手段１６０は、図５で示すように、携帯情報端末３１０において自動的に、画像及び／又は音声によって、広告選択受付手段１５０によって視聴選択された広告情報３５０を出力させる。
【００５９】
Ｓ５０でくじ申込受付手段１８０が、広告情報ロード手段１６０による広告情報３５０の出力処理が終了した後、利用者３００の広告くじへの申し込みを受け付ける。また、くじ申込受付手段１８０は、広告くじへの申し込みとして、利用者３００の広告くじへの申し込み情報を識別するための広告くじ識別情報３７０を受け付け、利用者情報記憶手段１２０において、利用者３００に係る個人情報３２０と広告くじ識別情報３７０とを関連づけて記憶させる。例えば、図４で示すように、くじ申込受付手段１８０は、利用者３００「新納英明」が、広告くじ識別情報３７０として「６、１５、１６、２３、３０、３５」を以って、広告くじの申し込みを行った場合、第３段目で示すような情報３７０を個人情報記憶手段１２０へ記憶させる。また、図４の第４段目で示すように、くじ申込受付手段１８０は、広告くじ申込フラグを「済み」とする情報を個人情報記憶手段１２０へ記憶させる。
【００６０】
ただし、応募者数カウント手段２００が計数した広告くじへの申込者数が所定数となっていた場合、募集停止手段１９０が、くじ申込受付手段１８０による広告くじへの申し込み処理を停止させるため、Ｓ５０における利用者３００「新納英明」に係るくじ申込処理は実行されない。
【００６１】
また、重複申込検知手段２１０によって利用者３００「新納英明」が既に広告くじへの申込を行っていることが検知された場合、くじ申込受付手段１８０が、広告くじへの申し込みを受け付けない処理を行うため、Ｓ５０における利用者３００「新納英明」に係るくじ申込処理は実行されない。
【００６２】
上記のような処理を行うことによって、広告くじ提供装置１００は、サービスを受ける者を絞り込んで広告提供を行うことができる。また、広告くじ提供装置１００は、広告の視聴が広告くじへの申し込み条件となっているため、広告主３４０に対し視聴効果の高い広告サービスを提供することができる。さらに、広告くじ提供装置１００は、広告の視聴という簡単な行為によって、懸賞付きくじへの申込を行うことができるという大きなメリットを利用者３００へ提供することができる。
（２）利用者登録処理及び広告くじの申込受付処理
【００６３】
ここでは、図１３を用いて、広告くじ提供装置１００による利用者登録処理及び広告くじの申込受付処理の流れを説明する。なお、利用者３００は、事前に、ウェブページ３６０のＵＲＬを告知されているものとする。告知の方法は、クーポン券、雑誌、広告・チラシなど、その方法は限定されない。
【００６４】
Ｓ１１０で利用者情報受付手段１１０が、パーソナルコンピュータ（以後、単に「ＰＣ」という。）３１０から、広告くじの利用者３００に関する情報であって、広告くじの申し込みや当否連絡のための情報である個人情報３２０を受け付ける。さらに、利用者情報受付手段１１０は、個人情報３２０を利用者情報記憶手段１２０に記憶させる。図４で示すように、個人情報３２０とは、例えば、利用者３００の氏名「新納英明」、住所「佐賀県武雄市武雄町…」、電子メールアドレス「ｘｙｚ＠ｙａｈｏｏ．ｃｏ．ｊｐ」、電話番号「０９５４−２ｘ−ｘｘｘｘ」などの情報である。なお、Ｓ１１０における処理は、Ｓ１３０における処理の後に実行される形態としても良い。
【００６５】
Ｓ１２０でアクセス誘導手段１４０が、ＰＣ３１０からＷｅｂブラウザなどを介して、広告情報３５０を提供するウェブページ３６０へのアクセス要求を受け付ける。
【００６６】
Ｓ１３０でアクセス誘導手段１４０が、Ｓ１２０において受け付けたウェブページ３６０へのアクセス要求に応じ、ＰＣ３１０をウェブページ３６０へアクセスさせる。例えば、アクセス誘導手段１４０は、図５の上図や図６で示すようなウェブページ３６０へアクセスさせる。
【００６７】
Ｓ１４０で広告情報ロード手段１６０が、ＰＣ３１０に対し、アクセス誘導手段１４０がＳ１３０においてアクセスさせたウェブページ３６０において提供される広告情報３５０を転送すると共に、ＰＣ３１０上で広告情報３５０を出力させる。図６で示すように、広告情報ロード手段１６０は、ＰＣ３１０において自動的に、画像及び／又は音声によって、広告主３４０が用意した広告情報３５０を出力させる。
【００６８】
また、ウェブページ３６０において複数の広告情報３５０が提供される場合、Ｓ１４０で広告選択受付手段１５０が、視聴希望の広告情報３５０の選択を促すと共に、選択された広告情報３５０を特定する情報を受け付ける。そして、広告情報ロード手段１６０が、ＰＣ３１０に対し、広告選択受付手段１５０が受け付けた情報で特定される広告情報３５０を転送すると共に、ＰＣ３１０上で広告情報３５０を出力させる。例えば、広告情報ロード手段１６０は、図５で示すように、ＰＣ３１０において自動的に、画像及び／又は音声によって、広告選択受付手段１５０によって視聴選択された広告情報３５０を出力させる。
【００６９】
Ｓ１５０でくじ申込受付手段１８０が、広告情報ロード手段１６０による広告情報３５０の出力処理が終了した後、利用者３００の広告くじへの申し込みを受け付ける。また、くじ申込受付手段１８０は、広告くじへの申し込みとして、利用者３００の広告くじへの申し込み情報を識別するための広告くじ識別情報３７０を受け付け、利用者情報記憶手段１２０において、利用者３００に係る個人情報３２０と広告くじ識別情報３７０とを関連づけて記憶させる。例えば、図４で示すように、くじ申込受付手段１８０は、利用者３００「新納英明」が、広告くじ識別情報３７０として「６、１５、１６、２３、３０、３５」を以って、広告くじの申し込みを行った場合、第３段目で示すような情報３７０を個人情報記憶手段１２０へ記憶させる。また、図４の第４段目で示すように、くじ申込受付手段１８０は、広告くじ申込フラグを「済み」とする情報を個人情報記憶手段１２０へ記憶させる。
【００７０】
ただし、応募者数カウント手段２００が計数した広告くじへの申込者数が所定数となっていた場合、募集停止手段１９０が、くじ申込受付手段１８０による広告くじへの申し込み処理を停止させるため、Ｓ１５０における利用者３００「新納英明」に係るくじ申込処理は実行されない。
【００７１】
また、重複申込検知手段２１０によって利用者３００「新納英明」が既に広告くじへの申込を行っていることが検知された場合、くじ申込受付手段１８０が、広告くじへの申し込みを受け付けない処理を行うため、Ｓ１５０における利用者３００「新納英明」に係るくじ申込処理は実行されない。
【００７２】
上記のような処理を行うことによって、広告くじ提供装置１００は、サービスを受ける者を絞り込んで広告提供を行うことができる。また、広告くじ提供装置１００は、広告の視聴が広告くじへの申し込み条件となっているため、広告主３４０に対し視聴効果の高い広告サービスを提供することができる。さらに、広告くじ提供装置１００は、広告の視聴という簡単な行為によって、懸賞付きくじへの申込を行うことができるという大きなメリットを利用者３００へ提供することができる。
（３）広告くじにおける当選者決定処理
ここでは、図１４を用いて、広告くじ提供装置１００による広告くじの当選者決定処理の流れを説明する。
【００７３】
Ｓ２１０で当選くじ情報取得手段２２０が、広告くじの当選情報を連動させる所定の宝くじについての当選情報３３０を、当選情報３３０を掲載しているウェブページ４００に対し所定の解析処理を加えることによって取得する。例えば、図８で示すように、当選情報３３０を掲載しているウェブページ４００が存在する場合、当選くじ情報取得手段２２０は、中段にある「本数字」に続く６個の２ケタの数字「０６」、「１５」、「１６」、「２３」、「３０」、「３５」を、当選情報３３０として取得する。
【００７４】
なお、当選くじ情報取得手段２２０は、装置１００が備える入力装置１０６０からの入力によって当選情報３３０を取得する形態であっても良く、所定の記述規則に従って当選情報３３０が記載された電子ファイルを取得する形態であっても良い。
【００７５】
Ｓ２２０で当選者抽出手段２３０が、当選くじ情報取得手段２２０がＳ２１０において取得した当選情報３３０を、利用者情報記憶手段１２０に記憶される広告くじ識別情報３７０と照合し、広告くじの当選者３００を抽出する。例えば、照合対象の全部が一致する場合を当選と判定する場合、図４で示す例では、利用者「新納英明」３００が当選者の一人として抽出される。
【００７６】
Ｓ２３０で分配金算出手段２４０が、当選者抽出手段２３０が抽出した当選者３００の人数で、広告主３４０が拠出した賞金総額を除し、当選者３００一人当たりの賞金額３８０を算出する。賞金総額が６０万円であり、当選者の人数が４名である場合、分配金算出手段２４０は、６００，０００（円）÷４（人）＝１５０，０００（円）と、当選者３００一人当たりの賞金額３８０を算出する。
【００７７】
Ｓ２４０で当選金分配手段２５０が、分配金算出手段２４０がＳ２３０で算出した賞金額３８０を、利用者情報記憶手段１２０における当選者３００の個人情報３２０と関連付けて記憶させる。例えば、図４で示すように、分配金算出手段２４０によって当選者３００一人当たりの賞金額３８０が「１５０，０００円」と算出された場合、利用者情報記憶手段１２０において、個人情報３２０「新納英明」と「１５０，０００円」とが関連付けて記憶される。
【００７８】
Ｓ２５０で当選金分配手段２５０が、広告主３４０が製造・販売・提供する商品やサービスである景品を識別するための景品識別情報３９０を、利用者情報記憶手段１２０に記憶における当選者３００の個人情報３２０と関連付けて記憶させる形態としても良い。例えば、図４で示すように、景品が「Ａ商店の商品Ｂ」である場合、当選金分配手段２５０は、利用者情報記憶手段１２０において、個人情報「新納英明」３２０と当選景品情報「Ａ商店の商品Ｂ」３９０とを関連付けて記憶させる。なお、Ｓ２５０の情報処理は必須ではない。
【００７９】
上記のように、広告くじ提供装置１００は、広告くじの当否を公的なサービスである宝くじの当選情報と連動させることによって、広告くじの当否情報の透明性を向上させ、広告くじ申込者の不安・不満を解消させることができる。また、広告くじ提供装置１００は、広告主３４０の広告費の一部に関し所謂物納を可能とすることで、広告主３４０の資金的負担を軽減させることができる。
（総括）
【００８０】
広告くじ提供装置１００は、広告情報３５０を提供するウェブページ３６０の情報（ＱＲコード等）を露出させる媒体を適宜選定することによって、広告のターゲットを絞ることができ、それに伴い広告主は、効率的かつ効果的な広告宣伝を行うことができる。
【００８１】
広告くじ提供装置１００は、提供サービスである広告くじの当否を公的なサービスである宝くじの当選情報と連動させることによって、懸賞付きくじの当選情報の透明性を高めることができる。
【００８２】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００８３】
１００  広告くじ提供装置
１１０  利用者情報受付手段
１２０  利用者情報記憶手段
１３０  ＱＲコード取得手段
１４０  アクセス誘導手段
１５０  広告選択受付手段
１６０  広告情報ロード手段
１７０  広告情報記憶手段
１８０  くじ申込受付手段
１９０  募集停止手段
２００  応募者数カウント手段
２１０  重複申込検知手段
２２０  当選くじ情報取得手段
２３０  当選者抽出手段
２４０  分配金算出手段
２５０  当選金分配手段
３００  利用者
３１０  利用者端末
３２０  利用者の個人情報
３３０  宝くじの当選情報（当選番号）
３４０  広告主
３５０  広告情報
３６０  広告情報を提供するウェブページ（ウェブサイト）
３７０  広告くじ識別情報
３８０  当選者一人当たりの当選金額
３９０  景品識別情報
４００  宝くじの当選番号情報を提供するウェブページ（ウェブサイト）
１０１０  ＣＰＵ
１０２０  ＲＯＭ
１０３０  ＲＡＭ
１０４０  補助記憶装置
１０５０  通信インタフェース
１０６０  入力装置
１０７０  出力装置（表示装置）
１０８０  記録媒体インタフェース
１０９０  記録媒体
【要約】
【課題】
本発明に係る広告くじ提供装置は、企業が効率的かつ効果的な広告宣伝を行うことができると共に、懸賞付きくじの当選情報の透明性を高めることができる。
【解決手段】
開示する広告くじ提供装置は、（１）ＱＲコードを読み取り、広告Ｗｅｂページにジャンプする、（２）広告を視聴した後、懸賞付きくじへの登録権を付与する、（３）宝くじの当選結果と当該懸賞付きくじの当選情報とを連動させる、（４）当該懸賞付きくじの当選情報に基づき、くじ景品のスポンサーである広告主の出資金・景品を当選者で分配する。
【選択図】図３【図１】
0005396550.tif 000002
【図２】
0005396550.tif 000003
【図３】
0005396550.tif 000004
【図４】
0005396550.tif 000005
【図５】
0005396550.tif 000006
【図６】
0005396550.tif 000007
【図７】
0005396550.tif 000008
【図８】
0005396550.tif 000009
【図９】
0005396550.tif 000010
【図１０】
0005396550.tif 000011
【図１１】
0005396550.tif 000012
【図１２】
0005396550.tif 000013
【図１３】
0005396550.tif 000014
【図１４】
0005396550.tif 000015